(57)【要約】【課題】サッシュタイプのドア本体に対するウェザーストリップの動きを、回転方向の動きを含めて強固に規制しうる取付構造を提供する。【解決手段】ウェザーストリップ５の型成形部Ｃに取付けられたプレート２１に一体成形された係止部材３０を、ドアサッシュ又は外装材４５に取付けられた係止突起５０に嵌合させてサッシュドア４０にウェザーストリップ５を取付ける構造であって、前記係止部材３０は、前記プレート面２１の垂直軸Ｌ周りに回転する動きを規制するように、前記係止突起５０に嵌合されている。また、その嵌合した状態で、前記係止部材３０は前記係止突起５０にねじＳ止めされてなる。【選択図】      図２
2005255031.tif 000002
【特許請求の範囲】
【請求項１】
ウェザーストリップの型成形部に取付けられたプレートに一体成形された係止部材／又は係止突起を、ドアサッシュ又は外装材に取付けられた係止突起／又は係止部材に嵌合させてサッシュドアにウェザーストリップを取付ける構造であって、
前記係止部材は、前記プレート面の垂直軸周りに回転する動きを規制するように、前記係止突起に嵌合されることを特徴とするウェザーストリップの取付構造。
【請求項２】
前記嵌合した状態で、前記係止部材は前記係止突起にねじ止め又はクリップ止めされてなることを特徴とする請求項１に記載のウェザーストリップの取付構造。
【請求項３】
前記係止部材は、略円筒形状で一つ又は二以上の切欠きが形成され、
前記係止突起は、前記係止部材の径よりも小さい径の略円筒形状でかつその外周面側に一つ又は二以上の係止爪が突設され、
前記嵌合時に、前記係止突起の係止爪が、前記係止部材の切欠きに係止されるようにして、前記係止部材が、前記係止突起の外側に嵌め込まれることを特徴とする請求項１又は２に記載のウェザーストリップの取付構造。
【請求項４】
前記係止部材は、略円筒形状で一つ又は二以上の切欠きが形成され、
前記係止突起は、前記係止部材の径よりも大きい径の略円筒形状でかつその内周面側に一つ又は二以上の係止爪が突設され、
前記嵌合時に、前記係止突起の係止爪が、前記係止部材の切欠きに係止されるようにして、前記係止部材が、前記係止突起の内側に嵌め込まれることを特徴とする請求項１又は２に記載のウェザーストリップの取付構造。
【請求項５】
前記ねじ止めによるねじが螺合する雌ねじが、前記係止突起に刻設されていることを特徴とする請求項１乃至４のうちいずれか一つに記載のウェザーストリップの取付構造。
【請求項６】
前記ねじ止めによるねじが螺合することによって、雌ねじが、前記係止突起に刻設されることを特徴とする請求項１乃至５のうちいずれか一つに記載のウェザーストリップの取付構造。
【請求項７】
前記係止部材は、略円筒形状で一つ又は二以上の切欠きが形成され、
前記係止突起は、一つ又は二以上の係止爪が突設され、
前記嵌合時に、前記係止突起の係止爪が、前記係止部材の切欠きに係止されるようにして、前記係止部材が、前記係止突起の外側に嵌め込まれることを特徴とする請求項１に記載のウェザーストリップの取付構造。
【発明の詳細な説明】
【技術分野】
【０００１】
本発明は、サッシュタイプの自動車ドア本体に、ウェザーストリップの型成形部を取付ける構造に関するものである。
【背景技術】
【０００２】
従来、図６に示すように、サッシュインナー１１およびサッシュアウター１２からなるサッシュタイプのドア本体１０に、ウェザーストリップ１３を取付けるための手段として、サッシュインナー１１を湾曲成形して湾曲突出部１１ａを形成すると共に当該湾曲突出部１１ａに取付孔１１ｂを穿設し、樹脂製のクリップ１４を、ウェザーストリップ１３の型成形部に形成した組付孔１３ａに挿通し、かつ取付孔１１ｂに挿入することによって行うものがある。こうした取付構造は一般的に行われている。
【０００３】
また、図７及び図８に示すように、ドアサッシュ３に、脚部７ａが取付けられたＴスタッド７の頭部７ｂを、ウェザーストリップ５に埋設されたインサート６に取付けられたクリップ８に係止させることにより、ドアサッシュ３にウェザーストリップ５を取付けるものが知られている（例えば、特許文献１）。
【特許文献１】特開平１０−３１５７８７号公報
【発明の開示】
【発明が解決しようとする課題】
【０００４】
図６に示す従来の取付構造は、クリップ１４の断面形状を矩形状とするとともに、クリップ１４が挿入される取付孔１１ｂの形状も矩形状とすることでウェザーストリップ１３組付後、ドアの開閉により型成形部が回転しようとする動きを規制するものであるが、クリップ１４が樹脂製であるため、サッシュインナー１１に対する嵌合力に限界がある。そのため、ウェザーストリップ１３の型成形部を回転しようとする動きを完全に規制することは困難である。
また、図７及び図８で示す従来の取付構造では、Ｔスタッド７の脚部７ａが延びる方向に対するウェザーストリップ１３の動きの規制はクリップ８による係止によって行うことができるが、回転方向に対する動きの規制は完全ではない。
【０００５】
そこで、本発明の目的とするところは、サッシュタイプのドア本体に対するウェザーストリップの動きを、回転方向の動きを含めて強固に規制しうる取付構造を提供することにある。
【課題を解決するための手段】
【０００６】
上記の目的を達成するために本発明の請求項１に記載のウェザーストリップの取付構造は、ウェザーストリップ（５）の型成形部（Ｃ）に取付けられたプレート（２１）に一体成形された係止部材（３０）を、ドアサッシュ又は外装材（４５）に取付けられた係止突起（５０）に嵌合させてサッシュドア（４０）にウェザーストリップ（５）を取付ける構造であって、
前記係止部材（３０）は、前記プレート面（２１）の垂直軸（Ｌ）周りに回転する動きを規制するように、前記係止突起（５０）に嵌合されることを特徴とする。
なお、プレート（２１）に係止突起側を一体成形し、ドアサッシュ又は外装材（４５）側に係止部材を取付けるようにしてもよい。
【０００７】
また、請求項２に記載の発明は、前記嵌合した状態で、前記係止部材（３０）は前記係止突起（５０）にねじ（Ｓ）止め又はクリップ止めされてなることを特徴とする。
【０００８】
さらに、請求項３に記載の発明は、前記係止部材（３０）は、略円筒形状で一つ又は二以上の切欠き（３１ａ，３１ｂ，３１ｃ）が形成され、前記係止突起（５０）は、前記係止部材（３０）の径よりも小さい径の略円筒形状でかつその外周面側に一つ又は二以上の係止爪（５１ａ，５１ｂ，５１ｃ）が突設され、前記嵌合時に、前記係止突起（５０）の係止爪（５１ａ，５１ｂ，５１ｃ）が、前記係止部材（３０）の切欠き（３１ａ，３１ｂ，３１ｃ）に係止されるようにして、前記係止部材（３０）が、前記係止突起（５０）の外側に嵌め込まれることを特徴とする。
【０００９】
また、請求項４に記載の発明は、前記係止部材は、略円筒形状で一つ又は二以上の切欠きが形成され、前記係止突起は、前記係止部材の径よりも大きい径の略円筒形状でかつその内周面側に一つ又は二以上の係止爪が突設され、前記嵌合時に、前記係止突起の係止爪が、前記係止部材の切欠きに係止されるようにして、前記係止部材が、前記係止突起の内側に嵌め込まれることを特徴とする。
【００１０】
また、請求項５に記載の発明は、前記ねじ止めによるねじ（Ｓ）が螺合する雌ねじが、前記係止突起（５０）に刻設されていることを特徴とする。
【００１１】
また、請求項６に記載の発明は、前記ねじ止めによるねじ（Ｓ）が螺合することによって、雌ねじが、前記係止突起（５０）に刻設されることを特徴とする。
【００１２】
また、請求項７に記載の発明は、前記係止部材（３０）は、略円筒形状で一つ又は二以上の切欠き（３１ａ，３１ｂ，３１ｃ）が形成され、前記係止突起（５０）は、一つ又は二以上の係止爪（５１ａ，５１ｂ，５１ｃ）が突設され、前記嵌合時に、前記係止突起（５０）の係止爪（５１ａ，５１ｂ，５１ｃ）が、前記係止部材（３０）の切欠き（３１ａ，３１ｂ，３１ｃ）に係止されるようにして、前記係止部材（３０）が、前記係止突起（５０）の外側に嵌め込まれることを特徴とする。
【００１３】
なお、カッコ内の記号は、図面および後述する発明を実施するための最良の形態に記載された対応要素または対応事項を示す。
【発明の効果】
【００１４】
本発明によれば、ウェザーストリップの型成形部に取付けられたプレートに一体成形された係止部材／又は係止突起を、ドアサッシュ又は外装材に取付けられた係止突起／又は係止部材に、前記プレート面の垂直軸周りにウェザーストリップが回転する動きを規制するように嵌合するので、サッシュドアに対するウェザーストリップの回転方向の動きは強固に規制される。
【００１５】
またそれに加えて、嵌合した状態で、前記係止部材は前記係止突起にねじ止め又はクリップ止めされるので、前記垂直軸方向に移動しようとするウェザーストリップの動きについても強固に規制される。
【００１６】
特にタッピングスクリュー等のねじを使用して、ねじの螺合によって、雌ねじを前記係止突起に刻設するようにすれば、さらにウェザーストリップの動きを強固に規制することができる。
【発明を実施するための最良の形態】
【００１７】
図１乃至図４を参照して、本発明の実施形態に係るウェザーストリップの取付構造について説明する。
図１は、本発明の実施形態に係るウェザーストリップを示す斜視図であり、図２はウェザーストリップがサッシュドア４０に取付けられた状態を示す断面図であり、図３は図１に示すプレート２１を示す斜視図であり、図４はサッシュドア４０に取付けられた係止突起５０を示す斜視図である。
【００１８】
本実施形態に係るウェザーストリップの取付構造は、ウェザーストリップ５の型成形部Ｃに取付けられたプレート２１に一体成形された係止部材３０に、サッシュインナー４１の外側に設けられたガーニッシュ（外装材）４５に取付けられた係止突起５０を嵌合させることによって、サッシュドア４０にウェザーストリップ５を取付けるものである。
このウェザーストリップ５は、押出成形部Ｄ，Ｄをコーナー型成形部Ｃで接続したものであり、その中空シール部５ｂとリップ部５ｃをボディパネル１００に弾接させて、サッシュドア４０とボディパネル１００との間のシール性を維持する。またウェザーストリップ５はその取付基部５ａをリテーナ（図示省略）に組み付けることによりサッシュドア４０に取付けられている。
【００１９】
プレート２１は、ウェザーストリップ５の型成形部Ｃに埋設されるいわゆるインサートでもよいが、ここでは、図３に示すように、のこぎり刃２１ａをウェザーストリップ５に設けた凹部に差し込むことにより外付けされるいわゆるアウトサートを使用した。
そして、プレート２１の一方のプレート面に一体成形された係止部材３０は、プレート面２１に対する垂直軸Ｌの方向に延びるように突設されており、図１に示すように露出している。係止部材３０の形状は略円筒形状であり、しかも略円筒形状部分には三つの切欠き３１ａ，３１ｂ，３１ｃが間隔を開けて形成されている。また係止部材３０の略円筒形状の底面に当たるプレート２１面には、タッピングスクリューＳが挿入される孔２１ｂが形成されている。さらに、係止部材３０の略円筒形状の端部から径方向外側に向けて二つの係止片３１ｐ，３１ｑが突設され、係止片３１ｐ，３１ｑとプレート２１の間にウェザーストリップ５の型成形部Ｃを挟み込むことによって係止部材３０は強固にウェザーストリップ５に組付けられている。プレート２１及び係止部材３０は樹脂製とした。
【００２０】
また、サッシュドア４０に取付けられた係止突起５０は、図４に示すように、ガーニッシュ４５に取付けられている。係止突起５０の形状は係止部材３０と同様に略円筒形状で、その径は、係止部材３０の径よりも小さくされている。そして、係止突起５０の略円筒形状の外周面側に三つの係止爪５１ａ，５１ｂ，５１ｃが突設されている。係止爪５１ａ，５１ｂ，５１ｃの幅は、係止部材３０の三つの切欠き３１ａ，３１ｂ，３１ｃの幅よりも小さく、係止部材３０を係止突起５０に嵌合させるときに、係止部材３０の切欠き３１ａ，３１ｂ，３１ｃが、係止突起５０の係止爪５１ａ，５１ｂ，５１ｃにそれぞれ嵌まり込む位置になるように係止爪５１ａ，５１ｂ，５１ｃは係止突起５０に突設されている。係止突起５０は樹脂製とした。
【００２１】
そして、ウェザーストリップ５をサッシュドア４０に取付けるには、図２に示すように、ウェザーストリップ５の係止部材３０を、ガーニッシュ４５に取付けられた係止突起５０に、係止部材３０の切欠き３１ａ，３１ｂ，３１ｃを、係止突起５０の係止爪５１ａ，５１ｂ，５１ｃにそれぞれ嵌め混み、タッピングスクリューＳをプレート２１に形成された孔２１ｂから挿入して係止突起５０の略円筒形状の内側に螺合することで行われる。
この場合、タッピングスクリューＳを挿入し回転させることにより略円筒形状の内側に雌ねじが刻設されるようになっている。係止部材３０を係止突起５０に嵌合されたときガーニッシュ４５の一部４５ａが、係止突起５０の略円筒形状の端部に当接して係止突起５０を押さえている。
【００２２】
このように、本発明の実施形態に係る取付構造によれば、係止部材３０は、プレート面２１の垂直軸Ｌ周りに回転する動きを規制するように、係止突起５０に嵌合されるので、サッシュドア４０に対するウェザーストリップ５の回転方向の動きは強固に規制される。また、タッピングスクリューＳは、略円筒形状の内側に雌ねじが刻設されるように螺合されるので、前記垂直軸Ｌ方向に移動しようとするウェザーストリップ５の動きについても強固に規制される。
【００２３】
係止部材３０と係止突起５０の形状は、両者が嵌合したときに、サッシュドア４０に対するウェザーストリップ５の回転方向の動きが強固に規制される形状であればよいので形状や切欠き，係止爪の数等が限定されるものではない。
よって、例えば、係止部材を、略円筒形状で三つの切欠きを形成し、それに対して係止突起を、係止部材の径よりも大きい径の略円筒形状とし、かつその内周面側に三つの係止爪を突設し、径の大きい係止突起の内側に係止部材を嵌合し、その嵌合時に三つの切欠きを三つの係止爪にそれぞれ嵌め込むようにすることもできる。
【００２４】
また、図５に示すように、係止部材３０と係止突起５０をねじ止めやクリップ止めすることなく、嵌合させるようにしてもよい。この場合、係止突起５０は略円筒形状ではなく、三つの係止爪５１ａ，５１ｂ，５１ｃが突設され、各係止爪５１ａ，５１ｂ，５１ｃが、係止部材３０の三つの切欠き３１ａ，３１ｂ，３１ｃにそれぞれ係止されるようにして、係止部材３０が、係止突起５０の外側に嵌め込まれる。係止突起５０の形状は、図５（ａ）で示すように、一端側が一体にされた係止爪５１ａ，５１ｂ，５１ｃの他端が放射線状に延びるものでも、あるいは、図５（ｂ）で示すように、係止爪５１ａ，５１ｂ，５１ｃの一端側が分離されたものであってもよい。
【００２５】
また、本発明の実施形態では、ねじ止めによりタッピングスクリユーＳを螺合することによって、雌ねじを係止突起に刻設し、嵌合力を高めるようにしたが、これにかえて、ねじ止めによるねじが螺合する雌ねじが予め刻設された係止突起を使用し、ねじの螺合で嵌合力を高めるようにすることもできる。また、タッピングスクリユーＳにかえてクリップを使用することもできる。
また、本発明の実施形態では、係止突起５０をガーニッシュ４５に取付けるようにしたが、サッシュアウターに取付けることも可能である。
【図面の簡単な説明】
【００２６】
【図１】本発明の実施形態に係るウェザーストリップを示す斜視図である。
【図２】図１に示すウェザーストリップがサッシュドアに取付けられた状態を示す断面図である。
【図３】図１に示すプレートを示す斜視図である。
【図４】図２に示す係止突起がサッシュドアに取付けられた状態を示す斜視図である。
【図５】別の形態の係止突起を示す平面図である。
【図６】従来例に係るウェザーストリップの取付構造を示す断面図である。
【図７】従来例に係る別のウェザーストリップの取付構造を示す断面図である。
【図８】図７のＢ−Ｂ線拡大断面図である。
【符号の説明】
【００２７】
３      ドアサッシュ
５      ウェザーストリップ
５ａ    取付基部
５ｂ    中空シール部
５ｃ    リップ部
６      インサート
７      Ｔスタッド
７ａ      脚部
７ｂ      頭部
８      クリップ
９      ボディパネル
１０      ドア本体
１１      サッシュインナー
１１ａ    湾曲突出部
１１ｂ    取付孔
１２      サッシュアウター
１３      ウェザーストリップ
１３ａ    組付孔
１４      クリップ
２１      プレート
２１ａ    のこぎり刃
２１ｂ    孔
３０      係止部材
３１ａ，３１ｂ，３１ｃ    切欠き
３１ｐ，３１ｑ    係止片
４０      サッシュドア
４１      サッシュインナー
４５      ガーニッシュ
５０      係止突起
５１ａ，５１ｂ，５１ｃ    係止爪
４５ａ    ガーニッシュの一部
１００      ボディパネル
Ｃ      型成形部
Ｄ      押出成形部
Ｌ      垂直軸
Ｓ      タッピングスクリュー
【図１】
2005255031.tif 000003
【図２】
2005255031.tif 000004
【図３】
2005255031.tif 000005
【図４】
2005255031.tif 000006
【図５】
2005255031.tif 000007
【図６】
2005255031.tif 000008
【図７】
2005255031.tif 000009
【図８】
2005255031.tif 000010